(57)【特許請求の範囲】
【請求項１】
拡張ダウンリンク制御チャネルリソースとアンテナポートとのマッピングを確立する方法であって、
拡張ダウンリンク制御チャネルリソース内の各リソースエレメントとアンテナポートとのマッピングを確立するステップと、
前記リソースエレメントによって搬送される制御データと前記リソースエレメントに対応するアンテナポートとの対応関係を確立して、前記アンテナポートに対応する参照信号に基づいて、前記リソースエレメントによって搬送される前記制御データを送信又は受信するステップと、
を含み、
前記拡張ダウンリンク制御チャネルリソースの１つのリソースブロックペア（PRB  pair）は時間領域の複数の直交周波数分割多重（Orthogonal  Frequency  Division  Multiplexing；ＯＦＤＭ）符号を含み、前記ＯＦＤＭ符号はそれぞれ複数のリソースエレメントを含み、前記リソースエレメントはそれぞれ周波数領域の１つの副搬送波に対応し、
拡張ダウンリンク制御チャネルリソース内の各リソースエレメントとアンテナポートとのマッピングを確立する前記ステップは、
物理インデックスに基づいて前記リソースエレメントとアンテナポートとのマッピングを決定するステップであって、前記物理インデックスは、前記ＯＦＤＭ符号に対応するＯＦＤＭ符号インデックス及び前記副搬送波に対応する副搬送波インデックスを含む、ステップ、
を含み、
前記ＯＦＤＭ符号の各々において、前記ＯＦＤＭ符号が含む全てのリソースエレメントに対応するアンテナポートが同じであり、且つ、前記複数のＯＦＤＭ符号において、前記時間領域の前記ＯＦＤＭ符号インデックスの順序に従って、異なるＯＦＤＭ符号の前記リソースエレメントに対応するアンテナポートが、予め設定されるサイクルで順に設定される、方法。
【請求項２】
前記周波数領域の一部の副搬送波インデックスに対応する複数のリソースエレメントに対応するアンテナポートに対して前記時間領域で巡回シフトを実行するステップ、
を更に含む、
請求項１に記載の拡張ダウンリンク制御チャネルリソースとアンテナポートとのマッピングを確立する方法。
【請求項３】
前記拡張ダウンリンク制御チャネルリソースは複数のPRB  pairを含み、前記PRB  pairの各々が、拡張ダウンリンク制御チャネルリソース内の各リソースエレメントとアンテナポートとのマッピングを確立する前記ステップを受けており、
前記複数のPRB  pairは、前記リソースエレメントとアンテナポートとの同じマップを備える、
請求項１又は２に記載の拡張ダウンリンク制御チャネルリソースとアンテナポートとのマッピングを確立する方法。
【請求項４】
前記拡張ダウンリンク制御チャネルリソースは複数のPRB  pairを含み、前記PRB  pairの各々が、拡張ダウンリンク制御チャネルリソース内の各リソースエレメントとアンテナポートとのマッピングを確立する前記ステップを受けており、
前記複数のPRB  pairにおいて、前記PRB  pairの前記周波数領域の物理インデックスの順序に従って、異なるPRB  pairの対応位置のリソースエレメントに対応するアンテナポートが、予め設定されるサイクルで順に設定される、
拡張ダウンリンク制御チャネルリソースとアンテナポートとのマッピングを確立する請求項１又は２に記載の方法。
【請求項５】
前記拡張ダウンリンク制御チャネルリソースは複数のPRB  pairを含み、前記PRB  pairの各々が、拡張ダウンリンク制御チャネルリソース内の各リソースエレメントとアンテナポートとのマッピングを確立する前記ステップを受けており、
前記複数のPRB  pairにおいて、前記PRB  pairの前記拡張ダウンリンク制御チャネルリソースにおける論理インデックスの順序に従って、異なるPRB  pairの対応位置のリソースエレメントに対応するアンテナポートが、予め設定されるサイクルで順に設定される、
請求項１又は２に記載の拡張ダウンリンク制御チャネルリソースとアンテナポートとのマッピングを確立する方法。
【請求項６】
拡張ダウンリンク制御チャネルリソースとアンテナポートとのマッピングを確立する装置であって、
拡張ダウンリンク制御チャネルリソース内の各リソースエレメントとアンテナポートとのマッピングを確立するように構成されるリソースマッピングユニットと、
前記リソースエレメントによって搬送される制御データと前記リソースエレメントに対応するアンテナポートとの対応関係を確立して、前記アンテナポートに対応する参照信号に基づいて、前記リソースエレメントによって搬送される前記制御データを送信又は受信するように構成されるデータマッピングユニットと、
を備え、
前記拡張ダウンリンク制御チャネルリソースの１つのリソースブロックペア（PRB  pair）は時間領域の複数の直交周波数分割多重（Orthogonal  Frequency  Division  Multiplexing；ＯＦＤＭ）符号を含み、前記ＯＦＤＭ符号はそれぞれ複数のリソースエレメント含み、前記リソースエレメントはそれぞれ周波数領域の１つの副搬送波に対応し、
前記リソースマッピングユニットは、物理インデックスに基づいて前記リソースエレメントとアンテナポートとのマッピングを決定するように構成され、前記物理インデックスは、前記ＯＦＤＭ符号に対応するＯＦＤＭ符号インデックス及び前記副搬送波に対応する副搬送波インデックスを含み、
前記リソースマッピングユニットは、第１のマッピングサブユニット、第２のマッピングサブユニット、第３のマッピングサブユニット及び第４のマッピングサブユニットのうち任意の１つ又は複数を有し、
前記第１のマッピングサブユニットは、前記ＯＦＤＭ符号の各々において、前記ＯＤＦＭ符号が含む全てのリソースエレメントに対して同じアンテナポートを設定するように構成され、且つ、前記複数のＯＦＤＭ符号において、前記時間領域の前記ＯＦＤＭ符号インデックスの順序に従って、異なるＯＦＤＭ符号の前記リソースエレメントに対応するアンテナポートを、予め設定されるサイクルで順に設定するように構成され、
前記第２のマッピングサブユニットは、前記第１のマッピングサブユニットによる処理の後に、前記周波数領域の一部の副搬送波インデックスに対応する複数のリソースエレメントに対応するアンテナポートに対して、前記時間領域で巡回シフトを実行するように構成され、
前記第３のマッピングサブユニットは、同じ副搬送波インデックスに対応する複数のリソースエレメントに対して同じアンテナポートを設定するように構成され、且つ、前記周波数領域の前記副搬送波インデックスの順序に従って、異なる副搬送波インデックスに対応する異なるリソースエレメントに対応するアンテナポートを、予め設定されるサイクルで順に設定するように構成され、
前記第４のマッピングサブユニットは、前記第３のマッピングサブユニットによる処理の後に、前記時間領域の一部のＯＦＤＭ符号インデックスに対応する複数のリソースエレメントに対応するアンテナポートに対して前記周波数領域で巡回シフトを実行するように構成される、装置。
【請求項７】
前記拡張ダウンリンク制御チャネルリソースは複数のPRB  pairを含み、
前記リソースマッピングユニットは、前記PRB  pairの各々に対して、拡張ダウンリンク制御チャネルリソース内の各リソースエレメントとアンテナポートとのマッピングを確立する工程を実行するように構成され、更に、前記複数のPRB  pairが前記リソースエレメントとアンテナポートとの同じマッピングを備えるように設定するように構成される、
請求項６に記載の拡張ダウンリンク制御チャネルリソースとアンテナポートとのマッピングを確立する装置。
【請求項８】
前記拡張ダウンリンク制御チャネルリソースは複数のPRB  pairを含み、
前記リソースマッピングユニットは、前記PRB  pairの各々に対して、拡張ダウンリンク制御チャネルリソース内の各リソースエレメントとアンテナポートとのマッピングを確立する工程を実行するように構成され、更に、前記複数のPRB  pairにおいて、前記PRB  pairの物理インデックス又は論理インデックスの順序に従って、異なるPRB  pairの対応位置のリソースエレメントに対応するアンテナポートを、予め設定されるサイクルで順に設定するように構成される、
請求項６に記載の拡張ダウンリンク制御チャネルリソースとアンテナポートとのマッピングを確立する装置。
【発明の詳細な説明】
【技術分野】
【０００１】
本発明はＬＴＥ（Long  Term  Evolution）技術に関し、特に、拡張ダウンリンク制御チャネルリソースとアンテナポートとのマッピングを確立する方法及び装置に関する。
【背景技術】
【０００２】
ＬＴＥシステムでは、サービスデータの復調の補助に用いられる制御データは物理ダウンリンク制御チャネル（Physical  Downlink  Control  Channel；ＰＤＣＣＨ）で搬送されるものであり、また、通常は直交周波数分割多重（Orthogonal  Frequency  Division  Multiplexing；ＯＦＤＭ）方式を用いて搬送される。ＰＤＣＣＨは時間領域及び周波数領域に分布するリソースを含み、ダウンリンク制御チャネルリソース（略称ダウンリンクリソース）と称することができる。ダウンリンクリソースは、時間領域において複数のＯＦＤＭ符号に分割され、周波数領域において複数の副搬送波に分割される。特定のＯＦＤＭ符号に含まれる特定の副搬送波は、リソースエレメント（Resource  Element；ＲＥ）と称される。基地局は、端末に向けてダウンリンクで制御データを搬送する時、制御データを搬送するＲＥとアンテナポートとのマッピング関係を確立する必要がある。これによって基地局は、該マッピング関係に基づいて、ＲＥによって搬送される制御データとアンテナポートとを対応させ、該アンテナポートの参照信号を用いて制御データを変調し送信することができる。端末側では、マッピング関係に基づいて、ＲＥに対応するアンテナポートに対応する参照信号を用いて、ＲＥによって搬送される制御データを復調して、制御データを取得する必要がある。
【０００３】
従来技術（例えばＬＴＥ  Ｒｅｌｅａｓｅ  ８／９／１０）では、各サブフレーム上の制御データは、該サブフレームの前部のいくつかのＯＦＤＭ符号のＲＥによって搬送されるものであり、残りのＯＦＤＭ符号のＲＥはサービスデータの搬送に用いられる。ＬＴＥ技術は現在ではＬＴＥ  Ｒｅｌｅａｓｅ１１／１２に発展しており、これに伴い、ダウンリンク制御チャネルの容量の増加が求められ、制御データの搬送空間を前部のいくつかのＯＦＤＭ符号からサブフレーム全体に拡張することが求められる。このような制御チャネルは、拡張物理ダウンリンク制御チャネル（Enhanced  PDCCH；ｅＰＤＣＣＨ）と称することができる。しかしながら、ｅＰＤＣＣＨのリソース（拡張ダウンリンク制御チャネルリソースと称することができる）とアンテナポートとのマッピングを確立する方式は、今のところはっきりと定められておらず、ＬＴＥの発展に伴う要求を満たすことができない。
【発明の概要】
【発明が解決しようとする課題】
【０００４】
本発明は、拡張ダウンリンク制御チャネルリソースとアンテナポートとのマッピングを確立する方法及び装置を提供することにより、ｅＰＤＣＣＨに含まれるリソースとアンテナポートとのマッピングを確立する方式を定め、ＬＴＥの発展に伴う要求を満たす。
【課題を解決するための手段】
【０００５】
本発明は、拡張ダウンリンク制御チャネルリソースとアンテナポートとのマッピングを確立する方法を提供する。該方法は、
ダウンリンク制御チャネルリソースに含まれる各リソースエレメントとアンテナポートとのマッピングを確立するステップと、
リソースエレメントによって搬送される制御データとリソースエレメントに対応するアンテナポートとの対応関係を確立して、アンテナポートに対応する参照信号に基づいて、リソースエレメントによって搬送される制御データを送信又は受信するステップと、
を含む。
【０００６】
可能な一実施方式によれば、ダウンリンク制御チャネルリソースの１つのリソースブロックペア（PRB  pair）は複数のリソースエレメントグループを含み、リソースエレメントグループはそれぞれ複数のリソースエレメントを含み、拡張ダウンリンク制御チャネルリソースに含まれる各リソースエレメントとアンテナポートとのマッピングを確立するステップは、各リソースエレメントグループにおいて、複数のリソースエレメントの論理インデックスの順序に従って、各リソースエレメントに対応するアンテナポートを順に設定するステップ、を含む。
【０００７】
別の可能な一実施方式によれば、拡張ダウンリンク制御チャネルリソースに含まれる各リソースエレメントとアンテナポートとのマッピングを確立するステップは、複数のリソースエレメントグループ間において、異なるリソースエレメントグループに属するが論理インデックスが同じであるリソースエレメントに対応するアンテナポートが同じであるステップ、を更に含む。
【０００８】
別の可能な一実施方式によれば、拡張ダウンリンク制御チャネルリソースに含まれる各リソースエレメントとアンテナポートとのマッピングを確立するステップは、複数のリソースエレメントグループ間において、リソースエレメントグループの論理インデックスの順序に従って、異なるリソースエレメントグループに属するが論理インデックスが同じであるリソースエレメントに対応するアンテナポートを、予め設定されるサイクルに基づいて順に設定するステップ、を更に含む。
【０００９】
別の可能な一実施方式によれば、拡張ダウンリンク制御チャネルリソースの１つのリソースブロックペア（PRB  pair）は時間領域の複数の直交周波数分割多重（Orthogonal  Frequency  Division  Multiplexing；ＯＦＤＭ）符号を含み、ＯＦＤＭ符号はそれぞれ複数のリソースエレメントを含み、リソースエレメントはそれぞれ周波数領域の１つの副搬送波に対応し、拡張ダウンリンク制御チャネルリソースに含まれる各リソースエレメントとアンテナポートとのマッピングを確立するステップは、物理インデックスに基づいてリソースエレメントとアンテナポートとのマッピングを決定するステップであって、物理インデックスは、ＯＦＤＭ符号に対応するＯＦＤＭ符号インデックス及び副搬送波に対応する副搬送波インデックスを含む、ステップ、を含む。
【００１０】
別の可能な一実施方式によれば、物理インデックスに基づいてリソースエレメントとアンテナポートとのマッピングを決定するステップは、各ＯＦＤＭ符号が含む全てのリソースエレメントに対応するアンテナポートが同じであり、且つ、複数のＯＦＤＭ符号間において、時間領域のＯＦＤＭ符号インデックスの順序に従って、異なるＯＦＤＭ符号のリソースエレメントに対応するアンテナポートを、予め設定されるサイクルに基づいて順に設定するステップ、を含む。
【００１１】
別の可能な一実施方式によれば、各ＯＦＤＭ符号が含む全てのリソースエレメントに対応するアンテナポートが同じであり、且つ、複数のＯＦＤＭ符号間において、時間領域のＯＦＤＭ符号インデックスの順序に従って、異なるＯＦＤＭ符号のリソースエレメントに対応するアンテナポートを、予め設定されるサイクルに基づいて順に設定するステップの後に、周波数領域の一部の副搬送波インデックスに対応する複数のリソースエレメントについて、該複数のリソースエレメントに対応するアンテナポートに対して時間領域上で巡回シフトを実行するステップ、を更に含む。
【００１２】
別の可能な一実施方式によれば、物理インデックスに基づいてリソースエレメントとアンテナポートとのマッピングを決定するステップは、同じ副搬送波インデックスに対応する複数のリソースエレメントに対応するアンテナポートが同じであり、且つ、異なる副搬送波インデックスに対応するリソースエレメント間において、周波数領域の副搬送波インデックスの順序に従って、異なるリソースエレメントに対応するアンテナポートを、予め設定されるサイクルに基づいて順に設定するステップ、を含む。
【００１３】
別の可能な一実施方式によれば、同じ副搬送波インデックスに対応する複数のリソースエレメントに対応するアンテナポートが同じであり、且つ、異なるリソースエレメントに対応するアンテナポートを予め設定されるサイクルに基づいて順に設定するステップの後に、時間領域の一部のＯＦＤＭ符号インデックスに対応する複数のリソースエレメントについて、該複数のリソースエレメントに対応するアンテナポートに対して周波数領域上で巡回シフトを実行するステップ、を更に含む。
【００１４】
別の可能な一実施方式によれば、拡張ダウンリンク制御チャネルリソースは複数のPRB  pairを含み、PRB  pairの各々が、拡張ダウンリンク制御チャネルリソースに含まれる各リソースエレメントとアンテナポートとのマッピングを確立するステップを実行し、複数のPRB  pairは、リソースエレメントとアンテナポートとの同じマップを備える。
【００１５】
別の可能な一実施方式によれば、拡張ダウンリンク制御チャネルリソースは複数のPRB  pairを含み、PRB  pairの各々が、拡張ダウンリンク制御チャネルリソースに含まれる各リソースエレメントとアンテナポートとのマッピングを確立するステップを実行し、複数のPRB  pairにおいて、PRB  pairの周波数領域の物理インデックスの順序に従って、異なるPRB  pairの対応位置のリソースエレメントに対応するアンテナポートが、予め設定されるサイクルに基づいて順に設定される。
【００１６】
別の可能な一実施方式によれば、拡張ダウンリンク制御チャネルリソースは複数のPRB  pairを含み、PRB  pairの各々が、拡張ダウンリンク制御チャネルリソースに含まれる各リソースエレメントとアンテナポートとのマッピングを確立する前記ステップを実行し、複数のPRB  pairにおいて、PRB  pairの拡張ダウンリンク制御チャネルリソースにおける論理インデックスの順序に従って、異なるPRB  pairの対応位置のリソースエレメントに対応するアンテナポートが、予め設定されるサイクルに基づいて順に設定される。
【００１７】
本発明は、拡張ダウンリンク制御チャネルリソースとアンテナポートとのマッピングを確立する装置を提供する。該装置は、
拡張ダウンリンク制御チャネルリソースに含まれる各リソースエレメントとアンテナポートとのマッピングを確立するように構成されるリソースマッピングユニットと、
リソースエレメントによって搬送される制御データとリソースエレメントに対応するアンテナポートとの対応関係を確立して、アンテナポートに対応する参照信号に基づいて、リソースエレメントによって搬送される制御データを送信又は受信するように構成されるデータマッピングユニットと、
を有する。
【００１８】
可能な一実施方式によれば、拡張ダウンリンク制御チャネルリソースの１つのリソースブロックペア（PRB  pair）は複数のリソースエレメントグループを含み、リソースエレメントグループはそれぞれ複数のリソースエレメントを含み、リソースマッピングユニットは、具体的には、各リソースエレメントグループにおいて、複数のリソースエレメントの論理インデックスの順序に従って、各リソースエレメントに対応するアンテナポートを順に設定するように構成される。
【００１９】
別の可能な一実施方式によれば、リソースマッピングユニットは更に、複数のリソースエレメントグループ間において、異なるリソースエレメントグループに属するが論理インデックスが同じであるリソースエレメントに対して、同じアンテナポートを設定するように構成される。
【００２０】
別の可能な一実施方式によれば、リソースマッピングユニットは更に、複数のリソースエレメントグループ間において、リソースエレメントグループの論理インデックスの順序に従って、異なるリソースエレメントグループに属するが論理インデックスが同じであるリソースエレメントに対応するアンテナポートを、予め設定されるサイクルに基づいて順に設定するように構成される。
【００２１】
別の可能な一実施方式によれば、拡張ダウンリンク制御チャネルリソースの１つのリソースブロックペア（PRB  pair）は時間領域の複数の直交周波数分割多重（Orthogonal  Frequency  Division  Multiplexing；ＯＦＤＭ）符号を含み、ＯＦＤＭ符号はそれぞれ複数のリソースエレメントを含み、リソースエレメントはそれぞれ周波数領域の１つの副搬送波に対応する。リソースマッピングユニットは、具体的には、物理インデックスに基づいてリソースエレメントとアンテナポートとのマッピングを決定するように構成され、物理インデックスは、ＯＦＤＭ符号に対応するＯＦＤＭ符号インデックス及び副搬送波に対応する副搬送波インデックスを含む。
【００２２】
別の可能な一実施方式によれば、リソースマッピングユニットは、第１のマッピングサブユニット、第２のマッピングサブユニット、第３のマッピングサブユニット及び第４のマッピングサブユニットのうち任意の１つ又は複数を有する。第１のマッピングサブユニットは、各ＯＦＤＭ符号が含む全てのリソースエレメントに対して同じアンテナポートを設定するように構成され、且つ、複数のＯＦＤＭ符号間において、時間領域のＯＦＤＭ符号インデックスの順序に従って、異なるＯＦＤＭ符号のリソースエレメントに対応するアンテナポートを、予め設定されるサイクルに基づいて順に設定するように構成される。第２のマッピングサブユニットは、第１のマッピングサブユニットの処理の後に、周波数領域の一部の副搬送波インデックスに対応する複数のリソースエレメントについて、該複数のリソースエレメントに対応するアンテナポートに対して時間領域上で巡回シフトを実行するように構成される。第３のマッピングサブユニットは、同じ副搬送波インデックスに対応する複数のリソースエレメントに対して同じアンテナポートを設定するように構成され、且つ、異なる副搬送波インデックスに対応するリソースエレメント間において、周波数領域の副搬送波インデックスの順序に従って、異なるリソースエレメントに対応するアンテナポートを、予め設定されるサイクルに基づいて順に設定するように構成される。第４のマッピングサブユニットは、第３のマッピングサブユニットの処理の後に、時間領域の一部のＯＦＤＭ符号インデックスに対応する複数のリソースエレメントについて、該複数のリソースエレメントに対応するアンテナポートに対して周波数領域上で巡回シフトを実行するように構成される。
【００２３】
別の可能な一実施方式によれば、拡張ダウンリンク制御チャネルリソースは複数のPRB  pairを含む。リソースマッピングユニットは、PRB  pairの各々に対して、拡張ダウンリンク制御チャネルリソースに含まれる各リソースエレメントとアンテナポートとのマッピングを確立するように構成され、更に、複数のPRB  pairに対してリソースエレメントとアンテナポートとの同じマッピングを備えるように設定するように構成される。
【００２４】
別の可能な一実施方式によれば、拡張ダウンリンク制御チャネルリソースは複数のPRB  pairを含む。リソースマッピングユニットは、PRB  pairの各々に対して、拡張ダウンリンク制御チャネルリソースに含まれる各リソースエレメントとアンテナポートとのマッピングを確立する工程を実行するように構成され、更に、複数のPRB  pairにおいて、PRB  pairの物理インデックス又は論理インデックスの順序に従って、異なるPRB  pairの対応位置のリソースエレメントに対応するアンテナポートを、予め設定されるサイクルに基づいて順に設定するように構成される。
【００２５】
本発明は、拡張ダウンリンク制御チャネルリソースとアンテナポートとのマッピングを確立する装置を提供する。該装置は、
拡張ダウンリンク制御チャネルリソースに含まれる各リソースエレメントとアンテナポートとのマッピングを確立し、リソースエレメントによって搬送される制御データとリソースエレメントに対応するアンテナポートとの対応関係を確立するように構成されるプロセッサと、
プロセッサが確立する各リソースエレメントとアンテナポートとのマップと、制御データとアンテナポートとの対応関係とを格納するように構成されるメモリと、
を有する。
【００２６】
本発明が提供する拡張ダウンリンク制御チャネルリソースとアンテナポートとのマッピングを確立する方法及び装置には、以下のような技術的効果がある。すなわち、各ＲＥとアンテナポートとのマッピングを確立し、特定の時間領域と周波数領域に対応する位置のＲＥとアンテナポートとを紐付けし、ｅＰＤＣＣＨに含まれるリソースとアンテナポートとのマッピングを決定することによって、ＬＴＥの発展要件を満足する。
【図面の簡単な説明】
【００２７】
【図１】本発明の拡張ダウンリンク制御チャネルリソースとアンテナポートとのマッピングを確立する方法の実施例における、リソース分割の概略図である。
【図２】本発明の拡張ダウンリンク制御チャネルリソースとアンテナポートとのマッピングを確立する方法の実施例を示すフローチャートである。
【図３】本発明の拡張ダウンリンク制御チャネルリソースとアンテナポートとのマッピングを確立する方法の別の実施例における、アンテナポートマッピングテーブルである。
【図４】本発明の拡張ダウンリンク制御チャネルリソースとアンテナポートとのマッピングを確立する方法の更に別の実施例における、アンテナポートマッピングテーブルである。
【図５】本発明の拡張ダウンリンク制御チャネルリソースとアンテナポートとのマッピングを確立する方法の更に別の実施例における、アンテナポートマッピングテーブルである。
【図６】本発明の拡張ダウンリンク制御チャネルリソースとアンテナポートとのマッピングを確立する方法の更に別の実施例における、アンテナポートマッピングテーブルである。
【図７】本発明の拡張ダウンリンク制御チャネルリソースとアンテナポートとのマッピングを確立する方法の更に別の実施例における、アンテナポートの巡回シフトを示す概略図である。
【図８】本発明の拡張ダウンリンク制御チャネルリソースとアンテナポートとのマッピングを確立する方法の更に別の実施例における、アンテナポートマッピングテーブルである。
【図９】本発明の拡張ダウンリンク制御チャネルリソースとアンテナポートとのマッピングを確立する方法の更に別の実施例における、アンテナポートマッピングテーブルである。
【図１０】本発明の拡張ダウンリンク制御チャネルリソースとアンテナポートとのマッピングを確立する方法の更に別の実施例における、アンテナポートの巡回シフトを示す概略図である。
【図１１】本発明の拡張ダウンリンク制御チャネルリソースとアンテナポートとのマッピングを確立する方法の更に別の実施例における、アンテナポートマッピングテーブルである。
【図１２】本発明の拡張ダウンリンク制御チャネルリソースとアンテナポートとのマッピングを確立する方法の更に別の実施例における、PRB  pairの分布を示す概略図である。
【図１３】本発明の拡張ダウンリンク制御チャネルリソースとアンテナポートとのマッピングを確立する方法の更に別の実施例における、PRB  pairの分布を示す概略図である。
【図１４】本発明の拡張ダウンリンク制御チャネルリソースとアンテナポートとのマッピングを確立する方法の更に別の実施例における、PRB  pairの分布を示す概略図である。
【図１５】本発明の拡張ダウンリンク制御チャネルリソースとアンテナポートとのマッピングを確立する方法の更に別の実施例における、アンテナポートマッピングテーブルである。
【図１６】本発明の拡張ダウンリンク制御チャネルリソースとアンテナポートとのマッピングを確立する装置の実施例の概略構成図である。
【図１７】本発明の拡張ダウンリンク制御チャネルリソースとアンテナポートとのマッピングを確立する装置の別の実施例概略構成図である。
【図１８】本発明の拡張ダウンリンク制御チャネルリソースとアンテナポートとのマッピングを確立する装置の実施例の実体構造図である。
【発明を実施するための形態】
【００２８】
本発明の実施例に係る拡張ダウンリンク制御チャネルリソースとアンテナポートとのマッピングを確立する方法を説明する前に、まず該マッピング方法の理解に資するいくつかの基本概念を説明する。
【００２９】
拡張ダウンリンク制御チャネルリソース：基地局は、端末に向けてダウンリンクでサービスデータを送信する時、通常、端末側がサービスデータを復調し取得するのを補助する制御データも送信する。制御データは、ダウンリンク制御チャネルによって搬送される。ダウンリンク制御チャネルはダウンリンク制御チャネルリソースを含み、実際には、制御データはリソースによって搬送される。上述の拡張ダウンリンク制御チャネルリソースについて、図１を参照することができる。図１は、本発明の拡張ダウンリンク制御チャネルリソースとアンテナポートとのマッピングを確立する方法の実施例における、リソース分割を示す概略図である。図１と併せて、リソースに関するいくつかの定義を説明する。
【００３０】
ＯＦＤＭ符号：ダウンリンク制御チャネルリソースは、時間領域において複数のセグメントに分割される。各セグメントを１つのＯＦＤＭ符号と称することができ、図１では、ＯＦＤＭ符号は列に対応する。
【００３１】
副搬送波：リソースは、周波数領域において複数の副搬送波に分割される。図１では、副搬送波は行に対応する。
【００３２】
リソースエレメント（Resource  Element；ＲＥ）：上述のＯＦＤＭ符号及び副搬送波への分割を経て、実際上拡張ダウンリンク制御チャネルリソースは、時間領域及び周波数領域で図１に示すような格子状に分割される。特定のＯＦＤＭ符号に対応する特定の副搬送波はリソースエレメント（ＲＥ）と称され、この格子内のある１つの格子ユニットに相当する。また、図１から分かるように、１つのＯＦＤＭ符号は複数のＲＥを含む。
【００３３】
サブフレームとリソース：１つのダウンリンクサブフレームを例にとると、各ダウンリンクサブフレームは２つのタイムスロットを含み、各タイムスロットは７個又は６個のＯＦＤＭ符号を含む。すなわち、各ダウンリンクサブフレームは、全部で１４個又は１２個のＯＦＤＭ符号を含む。図１はタイムスロットを１つだけ示し、該タイムスロットが７個のＯＦＤＭ符号を含む場合を例にとる。
【００３４】
リソースブロック（Resource  Block；RB）：１つのRBは、周波数領域では１２個の副搬送波を含み、時間領域では１つのタイムスロット、すなわち７個又は６個のＯＦＤＭ符号を含む。よって、１つのRBは８４個又は７２個のＲＥを含むことができる。図１では、８４個のＲＥを含むリソースブロック１を完全に示し、リソースブロック２を一部だけ示す。
【００３５】
リソースブロックペア（PRB  pair）：１つのサブフレームは２つのタイムスロットを含むので、２つのRBを含む。これら２つのRBをリソースブロックペア（PRB  pair）と称することができる。ダウンリンク制御チャネルのリソースは１つのPRB  pairを含んでよく、複数のPRB  pairを含んでもよい。
【００３６】
拡張リソースエレメントグループ（Enhanced  Resource  Element  Group；ｅＲＥＧ）：本発明の実施例に係るマッピング方法は、拡張物理ダウンリンク制御チャネル（ｅＰＤＣＣＨ）を対象とする。よって、対応するリソースエレメントグループは拡張リソースエレメントグループ（ｅＲＥＧ）である。サブフレームに含まれる１つのPRB  pairは複数のｅＲＥＧを含み、例えば、９個のＲＥで１つのｅＲＥＧを形成する。
【００３７】
なお、上述の拡張ダウンリンク制御チャネルリソースにおいて、全てのＲＥが制御データを搬送するように構成されるわけではなく、一部のＲＥはアンテナポートに対応する参照信号の搬送用として構成される。参照信号は主に、制御データの送信端が制御データを変調して送信する際に用いられ、制御データの受信端が受信した制御データを復調し取得する際に用いられる。例えば、図１に示すリソースエレメントＲＥｘは参照信号の搬送用として構成され、通常、参照信号を搬送するＲＥの時間領域及び周波数領域の位置は決まっている。更に、制御データは複数のアンテナポートによって送信されてよく、これに応じて、それぞれ異なる参照信号を搬送るように構成されるＲＥが含まれてよい。例えば、位置を決められた４個のＲＥが、異なるアンテナポートに対応する参照信号を搬送するように設定されてよい。
【００３８】
拡張ダウンリンク制御チャネルリソースとアンテナポートとのマッピング：上述のように、制御データは、送信端によって送信される前にコード化され変調される必要がある。制御データと相関する参照信号は、このような制御データのコード化及び変調と同じ方法を用いて送信される。制御データは、受信端によって受信される時に、参照信号によって復調される必要がある。すなわち、制御データが特定のＲＥによって搬送される時に、どのアンテナポートに対応する参照信号を用いて制御データを変調又は復調するのかを決定する必要がある。この決定が、制御データを搬送するＲＥとアンテナポートとの対応関係を決定することに相当する。例えば、第１のＲＥが制御データを搬送し、該第１のＲＥとアンテナポートＡとが対応すると仮定すると、第１のＲＥに搬送される制御データがアンテナポートＡの参照信号を用いて変調又は復調される必要があることを意味する。
【００３９】
上述の説明に基づき、以下、本発明の実施例に係るマッピング方法を詳細に説明する。本方法では主に、拡張ダウンリンク制御チャネルリソースとアンテナポートとのマップをどのように決定するのかを説明する。
【００４０】
実施例１
図２は、本発明の拡張ダウンリンク制御チャネルリソースとアンテナポートとのマッピングを確立する方法の一実施例を示す、概略フローチャートである。図２に示すように、本方法は以下を含んでよい。
【００４１】
２０１において、拡張ダウンリンク制御チャネルリソースに含まれる各リソースエレメントとアンテナポートとのマッピングを確立する。
【００４２】
本実施例では、拡張ダウンリンク制御チャネルリソースに含まれる一部のリソースエレメント（Resource  Element；ＲＥ）とアンテナポートとのマッピング関係を決定するのではなく、全てのＲＥとアンテナポートとのマッピング関係を決定する必要がある。例えば、ダウンリンク制御チャネルが１つのPRB  pairのリソースを占用する場合、該PRB  pairに含まれる、制御データを搬送する全てのＲＥとアンテナポートとのマッピング関係が確立される。
【００４３】
上述したＲＥとアンテナポートとのマッピング関係の確立とは、例えば、特定のＲＥがアンテナポートＡにマップされることを意味する。すなわち、該ＲＥによって搬送される制御データがアンテナポートＡに対応する参照信号を用いて復調されることを示す。
【００４４】
本実施例において確立されるマッピング関係は、ＲＥとアンテナポートとのマッピングである。すなわち、特定の時間領域位置と周波数領域位置とに対応するＲＥが、アンテナポートに紐付けされる。例えば、ＲＥとアンテナポートとのマッピングは、インデックスに基づいて設定されてよい。インデックスは、論理インデックス又は物理インデックスであってよい。具体的なマッピング方式は後述の実施例において詳細に説明する。
【００４５】
２０２において、リソースエレメントによって搬送される制御データとリソースエレメントに対応するアンテナポートとの対応関係を確立する。
【００４６】
拡張ダウンリンク制御チャネルリソースとアンテナポートとのマッピングを確立する主な目的は、該リソースによって搬送される制御データとアンテナポートとの対応関係を確立し、これにより、アンテナポートに対応する参照信号に基づいて制御データを変調し、或いは、アンテナポートに対応する参照信号に基づいて受信された制御データを復調することである。
【００４７】
以下、各ＲＥとアンテナポートとのマッピングを確立する複数の可能な方式をそれぞれ説明する。まず、１つのPRB  pairを例にとり、PRB  pairに含まれるリソースエレメントとアンテナポートとのマッピングを確立する方法を説明する。次に、分散型のダウンリンク制御チャネルを例にとり、複数のPRB  pairにおけるマッピング方式を説明する。
【００４８】
実施例２
図３は、本発明の拡張ダウンリンク制御チャネルリソースとアンテナポートとのマッピングを確立する方法の別の実施例における、アンテナポートマッピングテーブルを示す。図３に示すように、本実施例では、１つのPRB  pairにおけるアンテナポートのマッピングの例を説明する。この例では、PRB  pairが１つのサブフレームにおいて時間領域に１４個のＯＦＤＭ符号を含む。
【００４９】
本実施例において制御データが２つのアンテナポート、例えばアンテナポートＡ及びアンテナポートＢを用いて送信されると仮定すると、各ＲＥはアンテナポートＡ又はアンテナポートＢに対応する必要がある。図３のＲＥｘはその位置が固定され、アンテナポートの参照信号を搬送するように構成されるが、ここでは説明を省略する。参照信号を搬送するこれらのＲＥ以外のＲＥは、制御データを搬送するように構成される。本実施例では、制御データ搬送エリアのＲＥとアンテナポートとのマッピングを確立する方式の説明に重点を置く。
【００５０】
本実施例のマッピング方式はＲＥの論理インデックスに関連するので、まずＲＥの論理インデックスについて説明する。上述したように、PRB  pairは複数のｅＲＥＧを含む。本実施例では、PRB  pairは１６個のｅＲＥＧを含み、各ｅＲＥＧは９個のＲＥを含む。図３を参照して、Ａ１，Ｂ２，Ａ３，Ｂ４，Ａ５，Ｂ６，Ａ７，Ｂ８，Ａ９で示される９個のＲＥ（図中の斜線部分）が同一のｅＲＥＧ、すなわち、PRB  pairに含まれる１つのｅＲＥＧに属すると仮定する。該ｅＲＥＧは９個のＲＥを含み、ＲＥの論理インデックスはこれら９個のＲＥの順序を定めるのに用いられる。該順序は、１つの論理的順序に相当し、ＲＥの物理的位置（すなわち、時間領域と周波数領域に対応する位置）とは無関係である。例えば、Ａ１〜Ａ９の「１，２，…，９」はＲＥの論理インデックスであり、「Ａ」及び「Ｂ」はＲＥの対応するアンテナポートを表す。
【００５１】
例えばＡ１は次のことを表す。すなわち、Ａ１で示されるＲＥが、上記のｅＲＥＧにおいて論理インデックスに従って限定される順序で１番目のＲＥであり、且つ、該ＲＥの対応するアンテナポートがアンテナポートＡであることを表す。該ＲＥにおいて制御データが搬送される場合、アンテナポートＡの参照信号に基づいて該制御データを処理する必要がある。同様に、Ｂ４は次のことを表す。すなわち、Ｂ４で示されるＲＥが、上記のｅＲＥＧにおいて論理インデックスに従って限定される順序で４番目のＲＥであり、且つ、該ＲＥの対応するアンテナポートがアンテナポートＢであることを表す。
【００５２】
ＲＥとアンテナポートとのマッピングを確立する本実施例の方式では、各ｅＲＥＧにおいて、複数のＲＥの論理インデックスの順序に従って、各ＲＥの対応するアンテナポートが順に設定される。更に図３を例にとると、上述のｅＲＥＧでは、ＲＥの論理インデックスの順序すなわち「１，２，…，９」に従って、明らかなように、各ＲＥの対応するアンテナポートは「Ａ，Ｂ，Ａ，Ｂ，…」と順に設定される。PRB  pairに含まれるその他のｅＲＥＧにおけるＲＥのマッピング方式は、上述のｅＲＥＧのマッピング方式と同じであるので、説明を省略する。
【００５３】
更に、上述の各ｅＲＥＧ内のＲＥとアンテナポートとのマッピングを確立する方式に基づいて、本実施例は更に、PRB  pairに含まれるｅＲＥＧ間のアンテナポートマッピング関係を設計する。例えば、異なるｅＲＥＧに属するが論理インデックスが同じであるＲＥが同じアンテナポートに対応するように設定されてよい。
【００５４】
例えば、図３において縦線部分で示される９個のＲＥは、前述のｅＲＥＧとは別のｅＲＥＧに属する。図３には、これら９個のＲＥの論理インデックスも示す。本実施例では、前述の斜線部分で示されるｅＲＥＧを第１のｅＲＥＧと称し、縦線部分で示されるｅＲＥＧを第２のｅＲＥＧと称する。図３から分かるように、論理インデックスが同じであるＲＥは、同じアンテナポートにマップされる。例えば、斜線部分で示されるＡ１と縦線部分で示されるＡ１は、これら２つのＲＥの各自のｅＲＥＧにおける論理インデックスが同じであり、且つ、同じアンテナポート（すなわちアンテナポートＡ）にマップされることを表す。
【００５５】
実施例３
本実施例では、PRB  pairに含まれる各ｅＲＥＧ内のＲＥマッピング方式は、実施例２と同じである。本実施例と実施例２との主な違いは、ｅＲＥＧ間で、ｅＲＥＧの論理インデックスの順序に従って、異なるｅＲＥＧに属するが論理インデックスが同じであるＲＥに対応するアンテナポートが、予め設定されるサイクルに基づいて順に設定されることである。サイクルは本実施例において限定されず、実際の状況に従って設定されてよい。例えば、サイクルは１、２等であってよい。
【００５６】
例えば、図４を参照する。図４は、本発明の拡張ダウンリンク制御チャネルリソースとアンテナポートとのマッピングを確立する方法の更に別の実施例における、アンテナポートマッピングテーブルを示す。まず、ｅＲＥＧの論理インデックスの概念を説明する。PRB  pairは、異なるｅＲＥＧに分割される。ｅＲＥＧの論理インデックスは、前述のＲＥの論理インデックスと同じように、例えば図４のｅＲＥＧインデックス「Ｇ１，Ｇ２，Ｇ３，…，Ｇ８」のように複数のｅＲＥＧの論理的順序を限定するように構成されてよい。各ｅＲＥＧインデックスは１つのｅＲＥＧに対応する。
【００５７】
本実施例では、同じＯＦＤＭ符号内に位置する異なるＲＥは、一般に、異なるｅＲＥＧに属する。例えば、図４において時間領域の左から１番目のＯＦＤＭ符号に位置する４個のＲＥは、それぞれＧ１，Ｇ２，Ｇ３，Ｇ４に対応する。これら４個のＲＥは異なるｅＲＥＧに属するが、これら４個のＲＥの論理インデックスは同じであり、各自のｅＲＥＧにおける論理インデックスは全て１、すなわち「Ａ１，Ｂ１，Ａ１，Ｂ１」である。図４から分かるように、これら４個のＲＥは異なるｅＲＥＧインデックスに対応し、且つ、ｅＲＥＧインデックス「Ｇ１，Ｇ２，Ｇ３，Ｇ４」の順序に従って、各ＲＥの対応するアンテナポートが「Ａ，Ｂ，Ａ，Ｂ」と順に設定される。図４におけるサイクルは１であり、すなわち、ｅＲＥＧが切り替えられるごとに、対応するアンテナポートも切り替えられる。
【００５８】
同様に、図４の「Ｂ２，Ａ２，Ｂ２，Ａ２」（それぞれＧ５，Ｇ６，Ｇ７，Ｇ８に対応する）のマッピング方式は上述のマッピング方式と同じである。Ｇ１に対応するＡ１とＧ５に対応するＢ２とが同じｅＲＥＧに属し、Ｇ２に対応するＢ１とＧ６に対応するＡ２とが同じｅＲＥＧに属し、Ｇ３に対応するＡ１とＧ７に対応するＢ２とが同じｅＲＥＧに属し、Ｇ４に対応するＢ１とＧ８に対応するＡ２とが同じｅＲＥＧに属する。本実施例では、図４に一部のＲＥのみを示してマッピング方式を説明した。その他のＲＥに対応するアンテナポートは図４に示されていないが、それらのマッピング方式は上述の方式と同じであり、全て決定される。
【００５９】
例えば、図５を参照する。図５は、本発明の拡張ダウンリンク制御チャネルリソースとアンテナポートとのマッピングを確立する方法の更に別の実施例における、アンテナポートマッピングテーブルを示す。Ｇ１に対応するＡ１とＧ５に対応するＢ２とが同じｅＲＥＧに属し、Ｇ２に対応するＡ１とＧ６に対応するＢ２とが同じｅＲＥＧに属し、Ｇ３に対応するＢ１とＧ７に対応するＡ２とが同じｅＲＥＧに属し、Ｇ４に対応するＢ１とＧ８に対応するＡ２とが同じｅＲＥＧに属する。図５でも同様に、ｅＲＥＧインデックスの順序に従って、異なるｅＲＥＧに属するが論理インデックスが同じであるＲＥに対応するアンテナポートが、予め設定されるサイクルに基づいて順に設定される。図４との違いは、サイクルが２であることである。
【００６０】
上述の実施例２では、ＲＥの論理インデックスに従って、拡張ダウンリンク制御チャネルリソースの各ＲＥとアンテナポートとのマッピング関係を設定した。上述の実施例３では、例えば上述した異なるｅＲＥＧに含まれるＲＥに対応するアンテナポートを順に設定する等、拡張ダウンリンク制御チャネルリソースのｅＲＥＧ間のマッピング関係の変化を設計した。明確に定められた拡張ダウンリンク制御チャネルリソースのＲＥとアンテナポートとのマッピングを確立する方式により、ＬＴＥにおけるｅＰＤＣＣＨのダウンリンク制御データの伝送要求を満足する。
【００６１】
以下の実施例では、物理インデックスに基づいてＲＥとアンテナポートとのマッピング関係をどのように設計するのかを説明する。物理インデックスに基づく設計は論理インデックスに基づく設計よりも便利であり、ダウンリンク制御データ搬送時の処理を簡単にすることができる。まず、論理インデックスに基づく設計に対する物理インデックスに基づく設計の利点を説明し、続いて、物理インデックスに基づいて設計されるマッピング方式を説明する。
【００６２】
図１に示すＲＥａ、ＲＥｂ及びＲＥｃを例にとる。これら３個のＲＥが同一のｅＲＥＧに属し（該ｅＲＥＧに含まれる他のＲＥは示されていない）、１つのダウンリンクサブフレームにおいて、一部の制御データが３個のＲＥにおいて搬送されると仮定する。また、ＲＥａがアンテナポートＡに対応し、ＲＥｂがアンテナポートＢに対応し、ＲＥｃがアンテナポートＣに対応すると仮定する。
【００６３】
続いて、別のダウンリンクサブフレームにおいてフレーム構造が変化し、ＲＥａの位置がＲＥａａに移動したと仮定する。従来技術の任意の方式によれば、ＲＥａａに対応するアンテナポートはＲＥａに対応するアンテナポートと同じであり、すなわち、依然としてアンテナポートＡに対応する。すなわち、アンテナポートのマッピングはｅＲＥＧと紐付けられ、ｅＲＥＧに含まれるＲＥの位置がどこに移動するかに関わらず、アンテナポートのマッピングは不変である。このような処理の欠点は、異なるフレーム構造に対応して、図１に示すリソースグリッドの各ＲＥの対応するアンテナポートが異なる可能性があることである。リソースグリッド全体の全てのＲＥに対応するアンテナポートを１つのアンテナポートマッピングテーブルとみなす場合、送信端と受信端の両方が、それぞれ異なるフレーム構造に対応する複数のアンテナポートマッピングテーブルを記憶し、異なるマッピングテーブルに基づいて異なるフレーム構造ごとに処理を行う必要があり、処理の複雑さが増してしまう。
【００６４】
本実施例によれば、各リソースエレメントとアンテナポートとの間で固定のマッピングが確立される。例えば、ＲＥａがアンテナポートＡに対応し、ＲＥａａがアンテナポートＢに対応することが予め定められる。ここで、ＲＥａは、図１において時間領域で左から２番目のＯＦＤＭ符号と周波数領域で下から３番目の副搬送波とが交差する位置に対応するグリッド単位を指し、ＲＥａａは、図１において時間領域で左から２番目のＯＦＤＭ符号と周波数領域で下から１番目の副搬送波とが交差する位置に対応するグリッド単位を指し、それらがどのｅＲＥＧに属するのかは無関係である。ＲＥａ、ＲＥｂ及びＲＥｃが最初に位置するｅＲＥＧにおいて、ＲＥａがアンテナポートＡに対応すると仮定する。フレーム構造が変化し、該ｅＲＥＧに含まれるリソースエレメントがＲＥａの位置からＲＥａａの位置に移動した場合、該ＲＥａａはアンテナポートＢに対応する。この場合、ＲＥａａは依然として元のｅＲＥＧに属するが、その対応するアンテナポートは、該位置のアンテナポートマッピングに従って、再決定される必要がある。
【００６５】
上述の説明から分かるように、本実施例において確立される各ＲＥとアンテナポートとのマッピングは、特定の時間領域及び周波数領域の固定位置に対応するＲＥとアンテナポートとを紐付けするものであり、ｅＲＥＧの変化に伴って変化することがない。このような処理の重要な利点は、送信端及び受信端は１つのアンテナポートマッピングテーブルを記憶するだけでよく、異なるフレーム構造に対応する複数のマッピングテーブルを記憶する必要がないことである。固定位置のＲＥとアンテナポートとが紐付けされているので、フレーム構造が変化したとしても、新しいフレーム構造のｅＲＥＧに含まれる各ＲＥのアンテナポートはアンテナポートマッピングテーブルに従って決定され、ＲＥとアンテナポートとのマッピングは変化しない。よって、送信端と受信端の処理の複雑さを大幅に低減できる。
【００６６】
実施例４
図６は、本発明の拡張ダウンリンク制御チャネルリソースとアンテナポートとのマッピングを確立する方法の更に別の実施例における、アンテナポートマッピングテーブルを示す。本実施例では、物理インデックスに基づいてＲＥとアンテナポートとのマッピングを決定する。具体的には、本実施例では、物理インデックスに含まれる時間領域のＯＦＤＭ符号インデックスに基づいてマッピングが行われる。
【００６７】
時間領域のＯＦＤＭ符号インデックスは、上述のＲＥの論理インデックス、副搬送波インデックス等と類似の機能を果たし、論理的順序の限定に用いられる。ＯＦＤＭ符号インデックスは、時間領域で分割される複数のＯＦＤＭ符号の論理的順序を限定し、図６では、ＯＦＤＭ符号インデックスは「Ｔ１，Ｔ２，Ｔ３，…，Ｔ８」である。
【００６８】
本実施例におけるＲＥとアンテナポートとのマッピングは、PRB  pairに含まれる各ｅＲＥＧとは無関係である。ｅＲＥＧの各ＲＥが時間領域と周波数領域とでどの位置にあるかは関係なく、時間領域のＯＦＤＭ符号インデックスに従って、マッピングが実行される。具体的なマッピング方式では、各ＯＦＤＭ符号に含まれる全てのＲＥに対応するアンテナポートは同じであり、且つ、複数のＯＦＤＭ符号間において、時間領域のＯＦＤＭ符号インデックスの順序に従って、異なるＯＦＤＭ符号のＲＥに対応するアンテナポートは、予め設定されるサイクルに基づいて順に設定する。
【００６９】
例えば、図６においてサイクルが１であるとする。ＯＦＤＭ符号インデックスＴ１に対応するＯＦＤＭ符号、すなわち図６の左から１番目の列では、全てのＲＥに対応するアンテナポートはアンテナポートＡである。また、複数のＯＦＤＭ符号間、例えばＴ１〜Ｔ８に対応する各ＯＦＤＭ符号間では、ＯＦＤＭ符号インデックス「Ｔ１，Ｔ２，…，Ｔ８」の順序に従って、異なるＯＦＤＭ符号のＲＥに対応するアンテナポートが順に設定される。例えば、Ｔ１に対応するＯＦＤＭ符号のＲＥはすべてアンテナポートＡに対応し、Ｔ２に対応するＯＦＤＭ符号のＲＥはすべてアンテナポートＢに対応し、Ｔ３に対応するＯＦＤＭ符号のＲＥはすべてアンテナポートＡに対応する。
【００７０】
なお、本実施例ではサイクルが１であったが、実際の実施ではサイクルは２，３等であってよい。例えば、サイクルが２である場合、Ｔ１及びＴ２に対応するＯＦＤＭ符号のＲＥがすべてアンテナポートＡに対応し、Ｔ３及びＴ４に対応するＯＦＤＭ符号のＲＥがすべてアンテナポートＢに対応するように設定されてよい。また、本実施例では「Ｔ１，Ｔ２，…，Ｔ８」の順序でのみ設定されたが、当然ながら、「Ｔ８，Ｔ７，…，Ｔ１」の順序で設定されてもよい。
【００７１】
実施例５
本実施例では、時間領域のＯＦＤＭ符号インデックスに基づく実施例４のマッピングに基づき、更に、マップされるアンテナポートに対して周波数領域で巡回シフトが実行される。すなわち、周波数領域の一部の副搬送波インデックスに対応する複数のリソースエレメントについて、該複数のリソースエレメントに対応するアンテナポートに対して巡回シフトが実行される。
【００７２】
図７は、本発明の拡張ダウンリンク制御チャネルリソースとアンテナポートとのマッピングを確立する方法の更に別の実施例における、アンテナポートの巡回シフトを示す概略図である。周波数領域の副搬送波インデックスＳ２に対応する複数のリソースエレメントを例にとり、アンテナポートに対してどのように時間領域での巡回シフトが実行されるのかを説明する。副搬送波インデックスＳ２に対応する１行のＲＥ（以下、略してＲＥ行と称する）について、その対応アンテナポートに対して巡回シフトが実行される（参照信号を搬送するＲＥｘはシフトに加わらず、その位置は固定される）と仮定する。図７に示す楕円と矢印の示す方向に沿って、副搬送波インデックスＳ２に対応するＲＥは左にＯＦＤＭ符号１つ分移動する。明らかなように、当初左端に位置したＡはリソースグリッドから出て、その後、楕円と矢印方向に沿って、ＲＥ行の右端に移動する。右端のＲＥに位置したアンテナポートＢは左に１つシフトしているので、該右端のＲＥに対応するアンテナポートは上述のＡによって補充される。
【００７３】
図８を参照する。図８は、本発明の拡張ダウンリンク制御チャネルリソースとアンテナポートとのマッピングを確立する方法の更に別の実施例における、アンテナポートマッピングテーブルを示す。図８は、上述の図７に示す巡回シフトが実行された後のアンテナポートマッピングテーブルを示す。明らかなように、新しいマッピングテーブルでは、図７に示すシフト前のアンテナポートマッピングテーブルと比較して、副搬送波インデックスＳ２に対応するＲＥ行が全体に左に１つシフトしている。例えば、ＯＦＤＭ符号インデックスＴ１と副搬送波インデックスＳ２とに対応するＲＥは、シフト前の図６ではアンテナポートＡに対応する一方、現在はアンテナポートＢに対応する。更に、図８から分かるように、該リソースグリッドにおいて副搬送波インデックスＳ４，Ｓ６，Ｓ８等に対応するＲＥ行に対しても、Ｓ２に対応するＲＥ行と同様の巡回シフトが実行されている。
【００７４】
なお、図７及び図８ではＲＥ行が左に１つシフトする例を説明したが、実際の実施はこれに限定されない。右に巡回シフトされてもよく、また、シフト数が２，３等であってもよい。また、図８では、副搬送波の間隔を１つあけて、例えば副搬送波インデックスＳ２，Ｓ４，Ｓ６，Ｓ８に対応するＲＥ行に対して周波数領域において巡回シフトを実行したが、実際の実施では別の方式を用いて、巡回シフトの実行が必要なＲＥ行が選択されてよい。例えば、Ｓ２，Ｓ３及びＳ８を選択して巡回シフトを実行してもよいし、Ｓ６，Ｓ７を選択して巡回シフトを実行してもよい。
【００７５】
実施例６
図９は、本発明の拡張ダウンリンク制御チャネルリソースとアンテナポートとのマッピングを確立する方法の更に別の実施例における、アンテナポートマッピングテーブルを示す。本実施例では、物理インデックスに基づいてＲＥとアンテナポートとのマッピングを決定する。具体的には、本実施例では、物理インデックスに含まれる周波数領域の副搬送波インデックスに基づいてマッピングが行われる。
【００７６】
本実施例におけるＲＥとアンテナポートとのマッピングは、PRB  pairに含まれる各ｅＲＥＧとは無関係である。ｅＲＥＧの各ＲＥが時間領域と周波数領域とでどの位置にあるかは関係なく、周波数領域の副搬送波インデックスに従って、マッピングが実行される。具体的なマッピング方式では、同じ副搬送波インデックスの複数のＲＥに対応するアンテナポートは同じであり、且つ、異なる副搬送波インデックスに対応するＲＥ間において、周波数領域の副搬送波インデックスの順序に従って、異なる副搬送波のＲＥに対応するアンテナポートは、予め設定されるサイクルに基づいて順に設定される。
【００７７】
例えば、図９に示す例ではサイクルが３である。特定の副搬送波インデックスに対応するＲＥ行の全てのＲＥの対応するアンテナポートは同じである。例えば、副搬送波インデックスＳ１に対応するＲＥはすべてアンテナポートＡにマップされ、副搬送波インデックスＳ４に対応するＲＥはすべてアンテナポートＢにマップされる。また、サイクル３に従って、副搬送波インデックスＳ１、副搬送波インデックスＳ２及び副搬送波インデックスＳ３に対応するＲＥ行のＲＥはすべてアンテナポートＡに対応し、副搬送波インデックスＳ４，副搬送波インデックスＳ５及び副搬送波インデックスＳ６に対応するＲＥ行のＲＥはすべてアンテナポートＢに対応する。これは、周波数領域の副搬送波３つおきに対応アンテナポートを変更することに相当する。
【００７８】
本実施例ではサイクルが３である例のみを説明したが、実際の実施では、サイクルは１，２等であってもよい。例えば、サイクルが２である場合、副搬送波インデックスＳ１及びＳ２に対応するＲＥ行のＲＥがすべてアンテナポートＡに対応し、副搬送波インデックスＳ３及びＳ４に対応するＲＥ行のＲＥがすべてアンテナポートＢに対応するように設定されてよい。また、本実施例では「Ｓ１，Ｓ２，…，Ｓ８」の順序でのみ設定されたが、当然ながら、「Ｓ８，Ｓ７，…，Ｓ１」の順序で設定されてもよい。
【００７９】
実施例７
本実施例では、周波数領域の副搬送波インデックスに基づく実施例６のマッピングに基づき、更に、マップされるアンテナポートに対して時間領域で巡回シフトが実行される。すなわち、時間領域の一部のＯＦＤＭ符号インデックスに対応する複数のリソースエレメントについて、該複数のリソースエレメントに対応するアンテナポートに対して巡回シフトが実行される。
【００８０】
図１０は、本発明の拡張ダウンリンク制御チャネルリソースとアンテナポートとのマッピングを確立する方法の更に別の実施例における、アンテナポートの巡回シフトを示す概略図である。時間領域のＯＦＤＭ符号インデックスＴ２に対応するＯＦＤＭ符号の全てのＲＥを例にとり、アンテナポートに対してどのように周波数領域での巡回シフトが実行されるのかを説明する。ＯＦＤＭ符号インデックスＴ２に対応するＯＦＤＭ符号の全てのＲＥについて、その対応アンテナポートに対して巡回シフトが実行されると仮定する。図１０に示す楕円と矢印の示す方向に沿って、ＯＦＤＭ符号に含まれる全てのＲＥが上に副搬送波１つ分移動する。これは、ＲＥ１つの移動に相当する。明らかなように、当初上端に位置したＡはリソースグリッドから出て、その後、楕円と矢印方向に沿って、ＯＦＤＭ符号の下端に移動する。下端のＲＥに位置したアンテナポートＢは上に１つシフトしているので、該下端のＲＥに対応するアンテナポートは上述のＡによって補充される。
【００８１】
図１１を参照する。図１１は、本発明の拡張ダウンリンク制御チャネルリソースとアンテナポートとのマッピングを確立する方法の更に別の実施例における、アンテナポートマッピングテーブルを示す。図１１は、上述の図１０に示す巡回シフトが実行された後のアンテナポートマッピングテーブルを示す  。明らかなように、新しいマッピングテーブルでは、図１０に示すシフト前のアンテナポートマッピングテーブルと比較して、ＯＦＤＭ符号インデックスＴ２に対応するＯＦＤＭ符号の全体が上に１つシフトしている。例えば、ＯＦＤＭ符号インデックスＴ２と副搬送波インデックスＳ３とに対応するＲＥは、シフト前の図９ではアンテナポートＡに対応する一方、現在はアンテナポートＢに対応する。更に、図１１から分かるように、該リソースグリッドにおいてＯＦＤＭ符号インデックスＴ４，Ｔ６，Ｔ８等に対応するＯＦＤＭ符号に対しても、Ｔ２に対応するＯＦＤＭ符号と同様の巡回シフトが実行されている。
【００８２】
なお、図１０及び図１１ではＯＦＤＭ符号のＲＥが上に１つシフトする例を説明したが、実際の実施はこれに限定されない。下に巡回シフトされてもよく、また、シフト数が２，３等であってもよい。また、図１１では、ＯＦＤＭ符号の間隔を１つあけて、例えばＯＦＤＭ符号インデックスＴ２，Ｔ４，Ｔ６，Ｔ８に対応するＲＥに対して時間領域で巡回シフトを実行したが、実際の実施では別の方式を用いて、巡回シフトの実行が必要なＯＦＤＭ符号が選択されてよい。例えば、Ｔ２，Ｔ３及びＴ８を選択して巡回シフトを実行してもよいし、Ｔ６，Ｔ７を選択して巡回シフトを実行してもよい。
【００８３】
上述の実施例では、１つのPRB  pairに含まれるＲＥとアンテナポートとのマッピングを確立する方式を説明した。以下、分散型のｅＰＤＣＣＨにおいてダウンリンク制御チャネルが複数のPRB  pairを含む場合に、異なるPRB  pairのＲＥとアンテナポートとのマッピングを確立する方法を説明する。
【００８４】
まず、分散型ｅＰＤＣＣＨのダウンリンク制御チャネルリソースの構成を説明する。図１に示す説明から分かるように、各ＯＦＤＭ符号は周波数領域において複数のPRB  pairを含む。ダウンリンク制御チャネルは、複数のPRB  pairのうち１つのリソースのみを使用しても、複数のPRB  pairのリソースを使用してもよい。図１２は、本発明の拡張ダウンリンク制御チャネルリソースとアンテナポートとのマッピングを確立する方法の更に別の実施例における、PRB  pairの分布を示す概略図である。図１２に示すように、各ＯＦＤＭ符号において、周波数領域の複数のPRB  pairはそれぞれ１つの物理インデックスを有する。実際には物理インデックスは、例えば図１２に示す「Ｎ，Ｎ＋１，Ｎ＋２，…，Ｎ＋７」のように、複数のPRB  pairの周波数領域における分布順序を限定するように構成されてよい。物理インデックスの順序に従って、複数のPRB  pairは周波数領域上に順番に分布する。
【００８５】
複数のPRB  pairの各々は、更に１つの論理インデックスを有してよい。論理インデックスは、一部のPRB  pairがダウンリンク制御チャネルのリソースとしてｅＰＤＣＣＨに設定されるときに割り当てられる論理番号であり、それらのPRB  pairの論理的順序を示すのに用いられる。論理インデックスは、上述の物理インデックスと無関係である。例えば、図１２を参照して、物理インデックスが「Ｎ＋１，Ｎ＋３，Ｎ＋５，Ｎ＋７」であるPRB  pairがｅＰＤＣＣＨに設定されると仮定すると、これら４個のPRB  pairの論理インデックスは「（１），（２），（３），（４）」に設定されてよい。当然ながら、物理インデックスと論理インデックスとは無関係であるので、４個のPRB  pairの論理インデックスは、図１３に示すように「（１），（３），（２），（４）」に設定されてもよい。図１３は、本発明の拡張ダウンリンク制御チャネルリソースとアンテナポートとのマッピングを確立する方法の更に別の実施例における、PRB  pairの分布を示す概略図である。
【００８６】
図１４は、本発明の拡張ダウンリンク制御チャネルリソースとアンテナポートとのマッピングを確立する方法の更に別の実施例における、PRB  pairの分布を示す概略図である。図１４に示す任意の方式では、物理インデックスが「Ｎ＋１，Ｎ＋４，Ｎ＋５，Ｎ＋７」であるPRB  pairがｅＰＤＣＣＨに設定され、それらの対応する論理インデックスがそれぞれ「（１），（３），（２），（４）」であると仮定している。
【００８７】
複数のPRB  pairの分布に関する上述の説明に基づき、以下、複数のPRB  pairに含まれるＲＥとアンテナポートとのマッピングを確立する設計を説明する。アンテナポート数が２である場合を例にとる。
【００８８】
実施例８
本実施例が提供する複数のPRB  pairのアンテナポートマッピング方式において、複数のPRB  pairの各PRB  pairに含まれるＲＥとアンテナポートとのマッピングは、上述の実施例で説明した１つのPRB  pairに含まれるＲＥとアンテナポートとのマッピングを確立する方式に従って実行される。また、各PRB  pairのマッピング方式は同じである。
【００８９】
例えば、ｅＰＤＣＣＨに割り当てられる４個のPRB  pair「Ｎ＋１，Ｎ＋３，Ｎ＋５，Ｎ＋７」において、各PRB  pairは図８に示すアンテナポートマッピングテーブルを使用する。
【００９０】
実施例９
本実施例が提供する複数のPRB  pairのアンテナポートマッピング方式において、複数のPRB  pairの各PRB  pairに含まれるＲＥとアンテナポートのマッピングは、上述の実施例で説明した１つのPRB  pairに含まれるＲＥとアンテナポートとのマッピングを確立する方式に従って実行される。また、PRB  pair間のマッピング関係は以下のように構成される。すなわち、PRB  pairの周波数領域での物理インデックスの順序に従って、異なるPRB  pairの対応位置のＲＥに対応するアンテナポートが、予め設定されるサイクルに基づいて順に設定される。
【００９１】
例えば、サイクルが１であると仮定する。「Ｎ＋１，Ｎ＋３，Ｎ＋５，Ｎ＋７」がｅＰＤＣＣＨに割り当てられる図１２及び図１３に示す構成について、これら４個のPRB  pairのマッピング方式は依然として同じであり、例えば図８に示すアンテナポートマッピングテーブルが用いられる。サイクルが１であるので、物理インデックス「Ｎ，Ｎ＋１，Ｎ＋２，…，Ｎ＋８」の順序に従って、物理インデックスＮ＋２に対応するPRB  pairのマッピング方式は物理インデックスＮ＋１に対応するPRB  pairのマッピング方式と異なり、物理インデックスＮ＋４に対応するPRB  pairのマッピング方式は物理インデックスＮ＋３に対応するPRB  pairのマッピング方式と異なる。一方、物理インデックスＮ＋１に対応するPRB  pairのマッピング方式と物理インデックスＮ＋３に対応するPRB  pairのマッピング方式とは同じであり、物理インデックスＮ＋２に対応するPRB  pairのマッピング方式と物理インデックスＮ＋４に対応するPRB  pairのマッピング方式とは同じである。
【００９２】
異なるPRB  pairの対応位置のＲＥとは、異なるPRB  pairに属するが対応する時間領域及び周波数領域の位置が同じであるＲＥを指す。例えば、各PRB  pairにおけるＯＦＤＭ符号インデックスＴ２と副搬送波インデックスＳ３とが交差する位置に対応するＲＥを指し、このようなＲＥが「対応位置のＲＥ」である。順に設定するとは、例えば、物理インデックスＮ＋１のPRB  pairにおける特定の位置のＲＥがアンテナポートＡに対応し、物理インデックスＮ＋２のPRB  pairにおける対応位置のＲＥがアンテナポートＢに対応し、物理インデックスＮ＋３のPRB  pairにおける対応位置のＲＥが再びアンテナポートＡに対応することを指す。
【００９３】
図１４に示す構成について、以上の原理に基づき容易に分かるように、物理インデックスＮ＋１、Ｎ＋５及びＮ＋７に対応するPRB  pairのＲＥマッピング方式は同じであり、Ｎ＋４に対応するPRB  pairのＲＥマッピング方式は、Ｎ＋１に対応するPRB  pairのＲＥマッピング方式と相反する。
【００９４】
上述の例ではサイクルが１であるが、実際の実施では、サイクルはその他の数値であってもよい。例えば、以下、サイクルが２であると仮定する。
図１２及び図１３に示す構成について、物理インデックスＮ＋１に対応するPRB  pairのＲＥとアンテナポートとのマッピング方式は、Ｎ＋５に対応するPRB  pairのＲＥとアンテナポートとのマッピング方式と同じであり、物理インデックスＮ＋３に対応するPRB  pairのＲＥとアンテナポートとのマッピング方式は、Ｎ＋７に対応するPRB  pairのＲＥとアンテナポートとのマッピング方式と同じである。しかしながら、これら２組のマッピング方式は異なる。例えば、物理インデックスＮ＋３に対応するPRB  pairのＲＥとアンテナポートとのマッピング方式と、Ｎ＋５に対応するPRB  pairのＲＥとアンテナポートとのマッピング方式とは異なり、これはアンテナポートが順番に設定されることを意味する。例えば、物理インデックスＮ＋３に対応するPRB  pairとＮ＋５に対応するPRB  pairとを比較する。ＯＦＤＭ符号インデックスＴ２と副搬送波インデックスＳ３との交差位置に対応するＲＥは、Ｎ＋３に対応するPRB  pairにおいてアンテナポートＡに対応する場合、Ｎ＋５に対応するPRB  pairではアンテナポートＢに対応する。同様に、図１４に示す構成では、物理インデックスＮ＋１に対応するPRB  pairのＲＥとアンテナポートとのマッピングは、Ｎ＋５に対応するPRB  pairのＲＥとアンテナポートとのマッピングと同じであり、物理インデックスＮ＋４及びＮ＋７に対応するPRB  pairのＲＥとアンテナポートとのマッピングでは、対応位置のＲＥに対応するアンテナポートが異なる。
【００９５】
実施例１０
本実施例が提供する複数のPRB  pairのアンテナポートマッピング方式は、実施例９と以下の点で区別される。すなわち、実施例９ではマップされたアンテナポートがPRB  pairの物理インデックスに基づいて順に設定される一方、本実施例ではPRB  pairの論理インデックスに基づいて変更される。複数のPRB  pairにおいて、異なるPRB  pairの対応位置のＲＥに対応するアンテナポートは、PRB  pairの論理インデックスの順序に従って、予め設定されるサイクルに基づいて順に設定される。変更の原理は実施例９と同じであるので、本実施例では簡単に説明する。
【００９６】
例えば、サイクルが１であると仮定する。図１２に示す構成について、物理インデックスＮ＋１（論理インデックスは（１））に対応するPRB  pairとＮ＋５（論理インデックス（３））に対応するPRB  pairとで、アンテナポートマッピングは同じである。また、物理インデックスＮ＋３（論理インデックス（２））に対応するPRB  pairとＮ＋７（論理インデックス（４））に対応するPRB  pairとで、アンテナポートマッピングは同じである。すなわち、対応位置のＲＥに対応するアンテナポートは同じである。図１３に示す構成について、物理インデックスＮ＋１（論理インデックス（１））に対応するPRB  pairとＮ＋３（論理インデックス（３））に対応するPRB  pairとで、アンテナポートマッピングは同じである。また、物理インデックスＮ＋５（論理インデックス（２））に対応するPRB  pairとＮ＋７（論理インデックス（４））に対応するPRB  pairとで、アンテナポートマッピングは同じである。すなわち、対応位置のＲＥに対応するアンテナポートは同じである。
【００９７】
例えば、サイクルが２であると仮定する。図１２に示す構成について、物理インデックスＮ＋１（論理インデックス（１））に対応するPRB  pairとＮ＋３（論理インデックス（２））に対応するPRB  pairとで、アンテナポートマッピングは同じである。また、物理インデックスＮ＋５（論理インデックス（３））に対応するPRB  pairとＮ＋７（論理インデックス（４））に対応するPRB  pairとで、アンテナポートマッピングは同じである。すなわち、対応位置のＲＥに対応するアンテナポートは同じである。図１４に示す構成について、物理インデックスＮ＋１（論理インデックス（１））に対応するPRB  pairとＮ＋４（論理インデックス（３））に対応するPRB  pairとでは、アンテナポートマッピングは異なる。また、物理インデックスＮ＋５（論理インデックス（２））に対応するPRB  pairとＮ＋７（論理インデックス（４））に対応するPRB  pairとでは、アンテナポートマッピングは異なる。すなわち、対応位置のＲＥに対応するアンテナポートが異なる。
【００９８】
なお、本発明の上述の実施例では、１つのサブフレームが１４個のＯＦＤＭ符号を含み、且つ、２つのアンテナポートのマッピングが実行される（例えばアンテナポートＡ又はアンテナポートＢに対応する）場合を説明した。しかしながら、実際の実施はこれに限定されず、適宜変更がなされてよい。例えば、本発明の実施例は、１つのサブフレームが１２個のＯＦＤＭ符号を含む場合にも同様に適用可能である。更に、アンテナポートの数は３，４等であってよく、マッピングの原理は２つのアンテナポートのマッピングと同様である。例えば、１つのPRB  pairにおいてポートＡ及びポートＢが用いられる場合、ポートの順に設定が発生すると、別の１つのPRB  pairにおいて、ポートＡはポートＣに変更され、ポートＢはポートＤに変更される。逆の場合も同様である。
【００９９】
以下に例を挙げる。図１５は、本発明の拡張ダウンリンク制御チャネルリソースとアンテナポートとのマッピングを確立する方法の更に別の実施例における、アンテナポートマッピングテーブルを示す。図１５では、４つのアンテナポートがマッピングに加わり、時間領域のＯＦＤＭ符号の順序に従って、各ＯＦＤＭ符号のＲＥに対応するアンテナポートが変更される場合を例にとり、その他の方式の例示は省略する。原理については、２つのポートのマッピング方式を参照することができる。例えば、分散型の複数のPRB  pairについて、異なるPRB  pairにおける対応位置のＲＥに対応するアンテナポートが変更される。４つのポートが変更される場合、例えば、もともとＲＥに対応するアンテナポートＡがアンテナポートＣに変更され、もともとＲＥに対応するアンテナポートＢがアンテナポートＤに変更され、もともとＲＥに対応するアンテナポートＣがアンテナポートＡに変更され、もともとＲＥにアンテナポートＤがアンテナポートＢに変更されるように設定されよい。
【０１００】
実施例１１
図１６は、本発明の拡張ダウンリンク制御チャネルリソースとアンテナポートとのマッピングを確立する装置の実施例を示す概略構成図である。本装置は、本発明の任意の実施例に係る方法を実行することができる。本マッピング装置は、制御データを送信する装置（例えば基地局）に適用することができ、制御データを受信する装置（例えば端末）に適用することもできる。図１６に示すように、本装置は、リソースマッピングユニット１６０１及びデータマッピングユニット１６０２を有してよい。
リソースマッピングユニット１６０１は、拡張ダウンリンク制御チャネルリソースに含まれる各リソースエレメントとアンテナポートとのマッピングを確立するように構成される。
データマッピングユニット１６０２は、リソースエレメントによって搬送される制御データとリソースエレメントに対応するアンテナポートとの対応関係を確立して、アンテナポートに対応する参照信号に基づいて、リソースエレメントによって搬送される制御データを送信又は受信するように構成される。
【０１０１】
また、拡張ダウンリンク制御チャネルリソースの１つのリソースブロックペア（PRB  pair）は複数のリソースエレメントグループを含み、リソースエレメントグループはそれぞれ複数のリソースエレメントを含む。リソースマッピングユニット１６０１は、具体的には、各リソースエレメントグループにおいて、複数のリソースエレメントの論理インデックスの順序に従って、各リソースエレメントに対応するアンテナポートを順に設定するように構成される。
【０１０２】
また、リソースマッピングユニット１６０１は更に、複数のリソースエレメントグループ間において、異なるリソースエレメントグループに属するが論理インデックスが同じであるリソースエレメントに対して、同じアンテナポートを設定するように構成される。
【０１０３】
また、リソースマッピングユニット１６０１は更に、複数のリソースエレメントグループ間において、リソースエレメントグループの論理インデックスの順序に従って、異なるリソースエレメントグループに属するが論理インデックスが同じであるリソースエレメントに対応するアンテナポートを、予め設定されるサイクルに基づいて順に設定するように構成される。
【０１０４】
また、拡張ダウンリンク制御チャネルリソースの１つのリソースブロックペア（PRB  pair）は時間領域の複数の直交周波数分割多重（Orthogonal  Frequency  Division  Multiplexing；ＯＦＤＭ）符号を含み、ＯＦＤＭ符号はそれぞれ複数のリソースエレメントを含み、リソースエレメントはそれぞれ周波数領域の１つの副搬送波に対応する。リソースマッピングユニット１６０１は、具体的には、物理インデックスに基づいてリソースエレメントとアンテナポートとのマッピングを決定するように構成される。物理インデックスは、ＯＦＤＭ符号に対応するＯＦＤＭ符号インデックス及び副搬送波に対応する副搬送波インデックスを含む。
【０１０５】
図１７は、本発明の拡張ダウンリンク制御チャネルリソースとアンテナポートとのマッピングを確立する装置の別の実施例を示す、概略構成図である。図１７に示すように、本装置は図１６に示す構成に基づき、リソースマッピングユニット１６０１は、第１のマッピングサブユニット１６０３、第２のマッピングサブユニット１６０４、第３のマッピングサブユニット１６０５及び第４のマッピングサブユニット１６０６のうち任意の１つ又は複数を有してよい。
第１のマッピングサブユニット１６０３は、各ＯＦＤＭ符号が含む全てのリソースエレメントに対して同じアンテナポートを設定するように構成され、且つ、複数のＯＦＤＭ符号間において、時間領域のＯＦＤＭ符号インデックスの順序に従って、異なるＯＦＤＭ符号のリソースエレメントに対応するアンテナポートを、予め設定されるサイクルに基づいて順に設定するように構成される。
第２のマッピングサブユニット１６０４は、第１のマッピングサブユニットによる処理の後に、周波数領域の一部の副搬送波インデックスに対応する複数のリソースエレメントについて、該複数のリソースエレメントに対応するアンテナポートに対して巡回シフトを実行するように構成される。
第３のマッピングサブユニット１６０５は、同じ副搬送波インデックスに対応する複数のリソースエレメントに対して同じアンテナポートを設定するように構成され、且つ、異なる副搬送波インデックスに対応するリソースエレメント間において、周波数領域の副搬送波インデックスの順序に従って、異なるリソースエレメントに対応するアンテナポートを、予め設定されるサイクルに基づいて順に設定するように構成される。
第４のマッピングサブユニット１６０６は、第３のマッピングサブユニットによる処理の後に、時間領域の一部のＯＦＤＭ符号インデックスに対応する複数のリソースエレメントについて、該複数のリソースエレメントに対応するアンテナポートに対して巡回シフトを実行するように構成される。
【０１０６】
また、拡張ダウンリンク制御チャネルリソースは複数のPRB  pairを含み、リソースマッピングユニット１６０１は、PRB  pairの各々に対して、拡張ダウンリンク制御チャネルリソースに含まれる各リソースエレメントとアンテナポートとのマッピングを確立する工程を実行するように構成され、更に、複数のPRB  pairに対してリソースエレメントとアンテナポートとの同じマッピングを設定するように構成される。
【０１０７】
また、拡張ダウンリンク制御チャネルリソースは複数のPRB  pairを含み、リソースマッピングユニット１６０１は、PRB  pairの各々に対して、拡張ダウンリンク制御チャネルリソースに含まれる各リソースエレメントとアンテナポートとのマッピングを確立する工程を実行するように構成され、更に、複数のPRB  pairにおいて、PRB  pairの物理インデックス又は論理インデックスの順序に従って、異なるPRB  pairの対応位置のリソースエレメントに対応するアンテナポートを、予め設定されるサイクルに基づいて順に設定するように構成される。
【０１０８】
実施例１２
図１８は、本発明の拡張ダウンリンク制御チャネルリソースとアンテナポートとのマッピングを確立する装置の実施例を示す、実体構造図である。本マッピング装置は、少なくとも１つのプロセッサと、該少なくとも１つのプロセッサに接続されるメモリとを有する。簡略化を目的として、図１８にはプロセッサを１つだけ示し、メモリはランダムアクセスメモリ（random  access  memory；ＲＡＭ）である例を用いて説明する。
【０１０９】
プロセッサは、拡張ダウンリンク制御チャネルリソースに含まれる各リソースエレメントとアンテナポートとのマッピングを確立し、リソースエレメントによって搬送される制御データとリソースエレメントに対応するアンテナポートとの対応関係を確立するように構成される。
メモリは、プロセッサによって確立される各リソースエレメントとアンテナポートとのマッピングと、制御データとアンテナポートとの対応関係とを記憶するように構成される。
【０１１０】
前記プロセッサは更に、方法実施例に含まれる各ステップを実行するように構成されてよく、ここでは繰り返し説明しない。
【０１１１】
当該技術分野の当業者には明らかであるように、上述の方法実施例に含まれる全部又は一部のステップは、プログラム命令関連ハードウェアによって実現されてよい。該プログラムは、コンピューター可読記憶媒体に記憶されてよい。該プログラムが実行されると、上述の方法実施例に含まれるステップが実行される。また、記憶媒体は、ＲＯＭ、ＲＡＭ、磁気ディスク、光ディスク等の、プログラムコードを記憶可能な媒体を含む。
【０１１２】
なお、以上の各実施例は本発明の技術構成を説明するために用いられたに過ぎず、本発明を限定するものではない。上述の各実施例を参照して本発明を詳細に説明したが、当該技術分野の当業者には明らかであるように、上述の各実施例に記載の技術的構成は変更されてよく、或いは、その一部又は全部の技術的特徴は均等物で置換されてよい。このような変更又は置換は、対応する技術的構成の本質から逸脱することなく、本発明の各実施例の技術的構成の範囲に包含される。
【図１】
0005990332.tif 000002
【図２】
0005990332.tif 000003
【図３】
0005990332.tif 000004
【図４】
0005990332.tif 000005
【図５】
0005990332.tif 000006
【図６】
0005990332.tif 000007
【図７】
0005990332.tif 000008
【図８】
0005990332.tif 000009
【図９】
0005990332.tif 000010
【図１０】
0005990332.tif 000011
【図１１】
0005990332.tif 000012
【図１２】
0005990332.tif 000013
【図１３】
0005990332.tif 000014
【図１４】
0005990332.tif 000015
【図１５】
0005990332.tif 000016
【図１６】
0005990332.tif 000017
【図１７】
0005990332.tif 000018
【図１８】
0005990332.tif 000019